(57)【要約】      （修正有）【課題】取り扱いが容易で、かつ、見た目も良好に、かつ、マスク表面が他に触れることなくマスクを衛生的に掛けて置くことができるマスクスタンドを提供する。【解決手段】一枚のシート１１を折り曲げて使用するマスクスタンド１０において、マスクスタンド１０が載置される載置面と接するシート１１の辺に対して垂直に設けられた折部１２と、マスク紐を掛けるための掛け部１３（１３Ａ、１３Ｂ、１３Ｃ、１３Ｄ）と、を有し、シート１１を折部１２にて折り曲げて載置面に立設可能に構成される。【選択図】図１
0003230571.tif 000002
【実用新案登録請求の範囲】
【請求項１】
一枚のシートを折り曲げて使用するマスクスタンドにおいて、
当該マスクスタンドが載置される載置面と接する前記シートの辺に対して垂直に設けられた折部と、
マスク紐を掛けるための掛け部と、を有し、
前記シートを前記折部にて折り曲げて前記載置面に立設可能に構成されることを特徴とするマスクスタンド。
【請求項２】
前記掛け部は、左の前記マスク紐に対応する一以上の箇所、及び、右の前記マスク紐に対応する一以上の箇所に設けられていることを特徴とする請求項１に記載のマスクスタンド。
【請求項３】
前記掛け部は、前記シートを矩形形状に切り欠いた切り欠き部であることを特徴とする請求項１又は請求項２に記載のマスクスタンド。
【請求項４】
前記シートの一部にミラーを備えることを特徴とする請求項１乃至３のいずれか一項に記載のマスクスタンド。
【請求項５】
前記マスクスタンドは、前記折部にて折り畳んで持ち運び可能に構成されていることを特徴とする請求項１乃至請求項４のいずれか一項に記載のマスクスタンド。
【請求項６】
前記マスクスタンドは、前記折部にて折り畳んだ際の当接する箇所の一方へ磁石を備え、他の一方へ当該磁石に引き寄せられる磁性体を備えることを特徴とする請求項５に記載のマスクスタンド。
【考案の詳細な説明】
【技術分野】
【０００１】
本考案は、マスクを掛けて置くためのマスクスタンドに係り、特に、マスク表面が他に触れることなくマスクを衛生的に掛けて置くことができるマスクスタンドに関するものである。
【背景技術】
【０００２】
従来より、風邪の予防、花粉対策として使用されるマスク（衛生マスク）は、最近、各種感染症対策として業務中や日常生活においても欠かせない存在となっている。特に、鉄道やバスなどの交通機関、介護施設、病院、飲食店、劇場、文化展示施設及びショッピングモールなどといった比較的密になりやすく不特定多数の人が集まる場所では、マスクをしていない人の入場が断られるケースもある。
【０００３】
しかし、飲食時や歯科治療時あるいは理容・美容院やコスメショップのサンプルメイク時などには、必ずマスクを外す必要があるが、外したマスクの置き場所に困ることが多い。外したマスクをテーブルに直に置くとそのまま床に落としたり、不衛生だったり、また、テーブルの水滴や料理などが付着してマスクが濡れたり汚れてしまうことがある。
【０００４】
使用中のマスクを一時的に保管するためのマスクケースとしては、横長状のマスクケースの裏面側にマスクが収納可能でかつ、開口部に開閉自在の蓋部を備えたマスクケースが知られている（特許文献１参照）。
【先行技術文献】
【特許文献】
【０００５】
【特許文献１】実用新案登録第３１５９９６１号公報
【考案の概要】
【考案が解決しようとする課題】
【０００６】
一度使用したマスクを収納し、再び利用する場合には、収納中、マスクの表面に付着しているウイルス・菌などの病原体を他の場所に触れないようにする必要がある。しかしながら、前述したような従来のマスク収納ケースにマスクを収納すると、マスク表面が収納ケース内部に触れ、マスクに付着したウイルス・菌などが収納ケース内部に付着する恐れがある。そして、細菌やウイルス等が付着したマスク収納ケースに入れたマスクを再び装着することは不衛生であるという問題がある。
【０００７】
そこで、本考案はこれらの課題を解決するために案出されたものであり、その目的は、マスク表面が他に触れることなくマスクを衛生的に掛けて置くことができるマスクスタンドを提供するものである。
【課題を解決するための手段】
【０００８】
本考案に係るマスクスタンドは、一枚のシートを折り曲げて使用するマスクスタンドにおいて、当該マスクスタンドが載置される載置面と接する前記シートの辺に対して垂直に設けられた折部と、マスク紐を掛けるための掛け部と、を有し、前記シートを前記折部にて折り曲げて前記載置面に立設可能に構成されることを特徴とする。
【０００９】
前記掛け部は、左の前記マスク紐に対応する一以上の箇所、及び、右の前記マスク紐に対応する一以上の箇所に設けてもよい。
【００１０】
前記掛け部は、前記シートを矩形形状に切り欠いた切り欠き部でもよい。
【００１１】
前記シートの一部にミラーを備えてもよい。
【００１２】
前記マスクスタンドは、前記折部にて折り畳んで持ち運び可能に構成してもよい。
【００１３】
前記マスクスタンドは、前記折部にて折り畳んだ際の当接する箇所の一方へ磁石を備え、他の一方へ当該磁石に引き寄せられる磁性体を備えてもよい。
【考案の効果】
【００１４】
本考案によれば、外したマスクを剥き出しのままテーブルなどに置いたり衣服のポケットや鞄などに入れておく必要がなく、見た目も良好に、かつ、マスク表面が他に触れることなくマスクを衛生的に掛けて置くことができる。また、一枚のシートを折り曲げるだけで簡単に組み立てることができ、取り扱いが容易である。
【図面の簡単な説明】
【００１５】
【図１】本実施形態に係るマスクスタンド１０の説明図である。
【図２】マスクスタンド１０を折部１２で折り曲げて載置した状態を示す説明図である。
【図３】マスクスタンド１０を折部１２で折り曲げて載置した状態を示す説明図である。
【図４】マスクスタンド１０を折部１２で折り曲げて載置した状態を示す説明図である。
【図５】マスクスタンド１０にマスクＭ１を掛けて使用した状態を示す使用例図である。
【図６】マスクスタンド１０にマスクＭ２を掛けて使用した状態を示す使用例図である。
【図７】マスクスタンド１０を折り畳んだ状態を示す図である。
【図８】他の実施例１によるマスクスタンド２０の説明図である。
【図９】他の実施例２によるマスクスタンド３０の説明図である。
【図１０】他の実施例３によるマスクスタンド４０の説明図である。
【図１１】他の実施例３によるマスクスタンド４０の説明図である。
【図１２】他の実施例４によるマスクスタンド５０の説明図である。
【図１３】他の実施例４によるマスクスタンド５０の説明図である。
【考案を実施するための形態】
【００１６】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
本考案は、一枚のシートを折り曲げて使用するマスクスタンドにおいて、当該マスクスタンドが載置される載置面と接するシートの辺に対して垂直に設けられた折部と、マスク紐を掛けるための掛け部と、を有し、シートを折部にて折り曲げて載置面に立設可能に構成されるマスクスタンドである。
【００１７】
図１は、本実施形態に係るマスクスタンド１０の説明図であり、図２乃至図４は、本実施形態に係るマスクスタンド１０を折部１２で折り曲げて載置した状態を示す説明図である。具体的に、図２は正面図、図３は背面図、図４は右側面図である。なお、左側面図は図４の右側面図と対称である。
【００１８】
マスクスタンド１０は、略矩形状のシート１１により構成される。シート１１は、無地でも、予め所定の文字や図柄などが印刷されていてもよい。シート１１は、折り曲げて使用する際に安定して机、テーブル等の載置面Ｔに立設することができる程度の強度があれば、材料は限定されない。材料として紙を用いれば、製造コストも安価であり、摩擦力によりプラスチックに比べてマスクの材質を問わず安定して引っ掛けておくことができ、さらに環境面にも優れている。例えば、板紙単体や、板紙と薄紙またはプラスチックフィルムまたはアルミニウム箔などの金属箔とを貼り合わせた複合紙、段ボール、特殊紙（エンボス紙、耐水、耐油紙、抗菌紙など）などを用いることができる。
【００１９】
板紙としては、白板紙やチップボール、色板紙などとしてもよい。白板紙としては、コートボールやノーコートボールの白ボールや、マニラボールを使用してもよい。板紙と薄紙とを貼り合わせた複合紙を使用する場合、薄紙としては、コート紙、アート紙、キャストコート紙などの洋紙のほか、和紙なども使用することができる。
【００２０】
板紙とプラスチックフィルムとを貼り合わせた複合紙を使用する場合、プラスチックフィルムとしては、ポリプロピレンフィルム、ポリエステルフィルム、ポリスチレンフィルムのほか、トリアセチルセルロースフィルム、セロハンなども使用することができる。これらのプラスチックフィルムは単体の透明フィルムのほか、意匠性を高めるためにアルミニウムなどの金属を蒸着した金属蒸着フィルムを使用することもできる。板紙と金属箔とを貼り合わせた複合紙を使用する場合、金属箔としては、アルミニウム箔のほかに銅箔なども使用できる。
【００２１】
シート１１の大きさは、折り曲げて載置した際にマスクを掛けることができれば特に限定されない。例えば、シート１１を広げた状態（図１）で、縦約１３０ｍｍ〜１７０ｍｍ、横１５０ｍｍ〜２３０ｍｍ程度であり、特に、縦約１５０ｍｍ、横約２００ｍｍ程度であることが好ましい。
【００２２】
シート１１は、折部１２と、掛け部１３を備える。
折部１２は、マスクスタンド１０が載置される載置面Ｔと接するシート１１の辺１１Ａに対して垂直に設けられる。マスクスタンド１０の使用時に折部１２を折り曲げて載置面Ｔに安定して立設することができる。図１等に示す例では、シート１１の左右方向略中央に折部１２を備える。そして、マスクスタンド１０を使用する際に、当該折部１２を図中破線に沿って谷折りして使用する。
【００２３】
掛け部１３は、外したマスクを掛ける部分である。掛け部１３は、左のマスク紐に対応する一以上の箇所、及び、右のマスク紐に対応する一以上の箇所に設けられる。本実施形態の例では、掛け部１３として、掛け部１３Ａ、掛け部１３Ｂ、掛け部１３Ｃ、掛け部１３Ｄが設けられている。具体的には、載置面Ｔと接するシート１１の辺１１Ａに対向する辺１１Ｂに、左のマスク紐に対応する箇所に掛け部１３Ａ、右のマスク紐に対応する箇所に掛け部１３Ｂが設けられ、さらにシート１１の左右方向の対向する辺１１Ｃと辺１１Ｄに、辺１１Ｃには左のマスク紐に対応する箇所に掛け部１３Ｃが、辺１１Ｄには右のマスク紐に対応する箇所に掛け部１３Ｄが設けられている。
【００２４】
なお、掛け部１３は、矩形形状の切り欠きにより構成されることが好ましい。まず、切り欠きであることにより、マスクの紐の材質が不織布、布、ウレタン、ゴム、紙、合成樹脂など何れの材質であっても安定してマスクを引っ掛け保持することが可能になる。さらに、当該切り欠きの形状が矩形形状であることにより、矩形の角部でマスク紐が引っ掛かり易く、さらに安定してマスクを保持することが可能になる。
【００２５】
図５、図６は、マスクスタンド１０にマスクを掛けて使用した状態を示す使用例図である。例えば、マスクＭ１の内側がマスクスタンド１０の側となるよう、言い換えれば、マスクＭ１の外側が図中正面の側となるようにマスクを掛ければ、飲食時や歯科治療時あるいは理容・美容院やコスメショップのサンプルメイク時など、一時的にマスクを外した際であっても、マスク内側が外気に曝され難い状態で掛けて置くことができる。図５の例では、マスクＭ１の左のマスク紐を掛け部１３Ａと掛け部１３Ｃ（不図示）に掛け、マスクＭ１の右のマスク紐を掛け部１３Ｂと掛け部１３Ｄ（不図示）に掛けた状態を示す。
図６の例のようなウレタン素材のマスクＭ２であっても容易にマスクスタンド１０に掛けることができる。
【００２６】
本実施形態ではシート１１の４か所に掛け部１３Ａ、掛け部１３Ｂ、掛け部１３Ｃ、掛け部１３Ｄを設けたが、マスクを安定して引っ掛け保持することができれば、掛け部１３の数は適宜変更することができる。例えば、図６の例ではマスクＭ２の左のマスク紐を掛け部１３Ａと掛け部１３Ｃに掛け、マスクＭ２の左のマスク紐を掛け部１３Ｂと掛け部１３Ｄ（不図示）に掛けているが、マスクＭ２を安定して掛けることができれば、シート１１には掛け部１３Ａと掛け部１３Ｂのみを設け、掛け部１３Ｃと掛け部１３Ｄ（不図示）はなくてもよい。
【００２７】
本実施形態で説明したマスクスタンド１０によれば、外したマスクを剥き出しのままテーブルなどに置いたり衣服のポケットや鞄などに入れておく必要がなく、見た目も良好に、かつ、マスク表面が他に触れることなくマスクを衛生的に掛けて置くことができる。また、一枚のシートを折り曲げるだけで簡単に組み立てることができ、取り扱いが容易である。
【００２８】
また、マスクスタンド１０は、折部１２で折り畳んで持ち運び可能に構成されている。図７はマスクスタンド１０を折り畳んだ状態を示す図である。本実施形態のマスクスタンド１０は、折部１２で折り畳むことにより半分の大きさになりコンパクトに携帯することができる。マスクスタンド１０の使用時にマスクスタンド１０を広げ、マスクの再使用時には、折り畳んで携帯できる。
【００２９】
（他の実施例１）
図８は、他の実施例１によるマスクスタンド２０の説明図である。マスクスタンド２０は、シート２１の一部にミラー（鏡）２５を備える。図８は、シート２１を折部２２で谷折りした際に内側になる箇所にミラー２５を備えた例である。その他の構成はマスクスタンド１０と同様のため説明を省略する。マスクスタンド２０にミラー２５を備えることにより、マスクを外しマスクスタンド１０に掛ける際に、マスクを外した際、顔の身だしなみをミラー２５でチェックすることができ有用である。
【００３０】
ミラー２５は、例えば粘着性を有しかつ光を反射するミラーシール等を用いてもよい。また、シート２１の一部にミラーを備えればよく、例えば、シート２１を、板紙とアルミニウムなどの金属を蒸着した金属蒸着フィルム（アルミニウム箔）による複合紙により構成し、アルミニウム箔を、折部２２で谷折りした際の内側となる面（全面又は面の一部）に使用することにより、当該面をミラーとして利用してもよい。
【００３１】
（他の実施例２）
図９は、他の実施例２によるマスクスタンド３０の説明図である。上述したマスクスタンド１０は、図1等に示すように矩形形状の切り欠きにより掛け部１３Ａ、掛け部１３Ｂ、掛け部１３Ｃ、掛け部１３Ｄを構成したが、掛け部の形状はこれに限定されない。例えば、図９に示すマスクスタンド３０のように、マスク紐を引っ掛けることができれば、掛け部３３Ａ、掛け部３３Ｂのような形状でもよい。その他の構成はマスクスタンド１０と同様のため説明を省略する。
【００３２】
（他の実施例３）
図１０、図１１は、他の実施例３によるマスクスタンド４０の説明図である。マスクスタンド４０は、シート４１の折部４２で折り畳んだ際の当接する箇所の一方へ磁石４５を備え、他の一方へ当該磁石４５に引き寄せられる磁性体４６を備えた例である。マスクスタンド４０を折り畳んだ際（図１１）に、磁石４５と磁性体４６による磁力により、マスクスタンド４０がパタパタと不用意に開いてしまうことを防いで携帯することができる。
【００３３】
（他の実施例４）
図１２、図１３は、他の実施例４によるマスクスタンド５０の説明図である。マスクスタンド５０は、留め具５５を備えた例である。折部で折り畳んだ際の当接する箇所の一方へ磁石５６を備え、他の一方へ当該磁石５６に引き寄せられる磁性体５７を備えた例である。具体的には、留め具５５の内部に磁石５６を備え、マスクスタンド５０を折り畳んだ際に、留め具５５の磁石５６の箇所が当接する箇所に磁性体５７を備える。磁石５６を利用した留め具５５により、マスクスタンド５０を折り畳んで携帯する際に不用意に開いてしまうことを防ぐことができる。
【００３４】
以上、本実施形態に係るマスクスタンド１０乃至５０の構成及び使用方法についての説明を行った。なお、図１乃至図１３を参照して説明した本実施形態に係るマスクスタンド１０乃至５０の構成は、本考案の基本的な要点を解説したに過ぎない。すなわち、本考案に係るマスクスタンドの技術的範囲は、上記実施形態に記載の範囲に限定されるものではなく、上述した本実施形態には、実用新案登録請求の範囲の記載の範囲内において、多様な変更又は改良を加えることが可能である。
【００３５】
また、上述した実施形態は、一時的に外したマスクを引っ掛けて保持することができる携帯型のマスクスタンドを想定したものであったが、本考案に係るマスクスタンドは、携帯型のマスクスタンドのみならず、マスクを引っ掛けて保持することが想定されるあらゆる場面で用いることが可能である。
【符号の説明】
【００３６】
１０  マスクスタンド
１１  シート
１２  折部
１３（１３Ａ、１３Ｂ、１３Ｃ、１３Ｄ）  掛け部
１１Ａ、１１Ｂ、１１Ｃ、１１Ｄ  辺
Ｔ  載置面
Ｍ１、Ｍ２  マスク
２０  マスクスタンド
２１  シート
２２  折部
２５  ミラー
３０  マスクスタンド  
３１  シート
３２  折部
３３（３３Ａ、３３Ｂ、３３Ｃ、３３Ｄ）  掛け部
４０  マスクスタンド
４１  シート
４２  折部
４５  磁石
４６  磁性体
５０  マスクスタンド
５５  留め具
５６  磁石
５７  磁性体
【図１】
0003230571.tif 000003
【図２】
0003230571.tif 000004
【図３】
0003230571.tif 000005
【図４】
0003230571.tif 000006
【図５】
0003230571.tif 000007
【図６】
0003230571.tif 000008
【図７】
0003230571.tif 000009
【図８】
0003230571.tif 000010
【図９】
0003230571.tif 000011
【図１０】
0003230571.tif 000012
【図１１】
0003230571.tif 000013
【図１２】
0003230571.tif 000014
【図１３】
0003230571.tif 000015